(57)【要約】【課題】  ユニバーサルリモコンによって電子装置を遠隔制御する方法及びそのユニバーサルリモコンを提供することを課題とする。【解決手段】  ユニバーサルリモコンを提供するステップ。ユニバーサルリモコンと第一電子装置に通信リンクを確立させることができ、及び、ユニバーサルリモコンが通信リンクを経て第一電子装置から放送リストを取得させるステップ、この中の放送リストには少なくとも１個以上の放送項目を包含し、ユニバーサルリモコンが各放送項目の属性に基づいて放送リストに対し分類を実行させるステップ。分類後の放送リストに基づいて、ユニバーサルリモコンに入力装置を経た操作コマンドを受信させ、及び、ユニバーサルリモコンが操作コマンドに基づいて、第二電子装置に対して操作コマンドの対応無線信号コマンドを伝送させるステップを包含する。【選択図】    図２
2006025419.tif 000002
【特許請求の範囲】
【請求項１】
ユニバーサルリモコンによって電子装置を遠隔制御する方法において、
ユニバーサルリモコンを提供するステップ、
該ユニバーサルリモコンと第一電子装置に通信リンクを確立させる、及び、該ユニバーサルリモコンが該通信リンクを経て該第一電子装置に対して放送リストを取得させ、この中の該放送リストには少なくとも１個以上の放送項目を包含するステップ、
該ユニバーサルリモコンが各放送番組の属性に基づいて該放送リストに対して分類を実行させるステップ、
分類後の放送リストに基づいて、ユニバーサルリモコンに入力装置を経た操作コマンドを受信させ、及び、該ユニバーサルリモコンが該操作コマンドに基づいて、第二電子装置に対し該操作コマンドの対応無線信号コマンドを伝送することを特徴とする、ユニバーサルリモコンによって電子装置を遠隔制御する方法。
【請求項２】
請求項１記載の遠隔制御方法において、この中の該第一電子装置が、コンピュータ、遠隔サーバ、リモートサイトなどのいずれか1つであることを特徴とする、ユニバーサルリモコンによって電子装置を遠隔制御する方法。
【請求項３】
請求項１記載の遠隔制御方法において、この中の該通信リンクは、有線式の通信リンク、無線式の通信リンク、インターネット、LANなどのいずれか1つであることを特徴とする、ユニバーサルリモコンによって電子装置を遠隔制御する方法。
【請求項４】
請求項１記載の遠隔制御方法において、この中の有線式の通信リンクは、USB通信リンクであることを特徴とする、ユニバーサルリモコンによって電子装置を遠隔制御する方法。
【請求項５】
請求項１記載の遠隔制御方法において、この中の該放送リストは、各社有線ケーブルテレビのシステムチャンネルをそれぞれ提供するテレビ番組放送スケジュール表、カラオケ曲リスト、CD/MP３曲リスト、DVD映画リスト、VCD映画リストなどのいずれか1つであることを特徴とする、ユニバーサルリモコンによって電子装置を遠隔制御する方法。
【請求項６】
請求項１記載の遠隔制御方法において、この中の該第二電子装置は、DVD/VCD/CD/MP３プレーヤー、テレビ、AV機器、コンピュータ、カラオケ機器、セットトップボックスなどのいずれか1つであることを特徴とする、ユニバーサルリモコンによって電子装置を遠隔制御する方法。
【請求項７】
請求項１記載の遠隔制御方法において、この中の該入力装置は、該ユニバーサルリモコン上に設置する複数個の押ボタンであることを特徴とする、ユニバーサルリモコンによって電子装置を遠隔制御する方法。
【請求項８】
請求項１記載の遠隔制御方法において、この中の該入力装置が、該ユニバーサルリモコン上に設置するタッチディスプレイであることを特徴とする、ユニバーサルリモコンによって電子装置を遠隔制御する方法。
【請求項９】
請求項１記載の遠隔制御方法において、この中の該第一電子装置は、該第二電子装置と同一の電子装置であることを特徴とする、ユニバーサルリモコンによって電子装置を遠隔制御する方法。
【請求項１０】
請求項１記載の遠隔制御方法において、この中の該属性は、洋画類の属性、国内映画類の属性、財政経済類の属性、ニュース類の属性などのいずれか1つであることを特徴とする、ユニバーサルリモコンによって電子装置を遠隔制御する方法。
【請求項１１】
請求項１記載の遠隔制御方法において、この中の該属性は、有線ケーブルテレビのシステムチャンネルの会社名称であることを特徴とする、ユニバーサルリモコンによって電子装置を遠隔制御する方法。
【請求項１２】
ユニバーサルリモコンにおいて、
第一電子装置に通信接続することに用いる第一通信インターフェース装置、
第二電子装置に通信接続することに用いる第二通信インターフェース装置、
押ボタン信号を発生することに用いる複数個の押ボタン、
該ユニバーサルリモコンの操作画面を表示するために用いるディスプレイ、
該第一通信インターフェース装置、該第二通信インターフェース装置、該複数個押ボタンと該ディスプレイと電気的に接続するプロセッサを包含し、及び、
該第一通信インターフェース装置を経て該第一電子装置から放送リストを取得し、この中の該放送リストに少なくとも1個以上の放送項目を包含し、
各放送番組の属性に基づいて該放送リストに対して分類を実行、
該押ボタン信号を受信し、この中の該押ボタン信号を該分類後の放送リストの操作コマンドとし、
該受信押ボタン信号に基づいて、該第二通信インターフェース装置を経て該第二電子装置に対し該押ボタン信号の対応無線信号コマンドの伝送、 
不揮発性メモリが、該プロセッサと電気的に接続し、及び、該分類後の放送リストの保存を包含することを特徴とする、ユニバーサルリモコン。
【請求項１３】
請求項１２記載のユニバーサルリモコンにおいて、この中の該第一通信インターフェース装置が、USB通信インターフェース装置であることを特徴とする、ユニバーサルリモコン。
【請求項１４】
請求項１２記載のユニバーサルリモコンにおいて、この中の該第一通信インターフェース装置は、有線式通信インターフェース装置、無線式通信インターフェース装置などのいずれか1つであることを特徴とする、ユニバーサルリモコン。
【請求項１５】
請求項１２記載のユニバーサルリモコンにおいて、この中の該第一電子装置が、コンピュータ、遠隔サーバ、リモートサイトなどのいずれか1つであることを特徴とする、ユニバーサルリモコン。
【請求項１６】
請求項１２記載の之ユニバーサルリモコンにおいて、この中の該放送リストは、各社有線ケーブルテレビのシステムチャンネルをそれぞれ分けて提供するテレビ番組放送スケジュール表、カラオケ曲リスト、CD/MP３曲リスト、DVD映画リスト、VCD映画リストなどのいずれか1つであることを特徴とする、ユニバーサルリモコン。
【請求項１７】
請求項１２記載のユニバーサルリモコンにおいて、この中の該第二電子装置が、DVD/VCD/CD/MP３プレーヤー、テレビ、AV機器、コンピュータ、カラオケ機器、セットトップボックスなどのいずれか1つであることを特徴とする、ユニバーサルリモコン。
【請求項１８】
請求項１２記載のユニバーサルリモコンにおいて、この中の該ディスプレイが、タッチディスプレイであることを特徴とする、ユニバーサルリモコン。
【請求項１９】
請求項１２記載のユニバーサルリモコンにおいて、この中の該第一電子装置が、該第二電子装置と同一の電子装置であることを特徴とする、ユニバーサルリモコン。
【請求項２０】
請求項１２記載のユニバーサルリモコンにおいて、この中の該属性は、洋画類の属性、国内映画類の属性、財政類の属性、ニュース類の属性などのいずれか1つであることを特徴とする、ユニバーサルリモコン。
【請求項２１】
請求項１２記載のユニバーサルリモコンにおいて、この中の該属性が、有線ケーブルテレビのシステムチャンネルの会社名称であることを特徴とする、ユニバーサルリモコン。
【発明の詳細な説明】
【技術分野】
【０００１】
本発明は電子装置を遠隔制御する方法及びリモコンに関し、特に、電子装置を遠隔制御する方法及リモコンで、例えばテレビ番組放送のスケジュール表の随時情報をアップデートし、また、分類整理して、ユーザーに十分な情報を与えることで遠隔制御事項に対するリモートコントロール操作を実行することにある。
【背景技術】
【０００２】
家電を用いた従来のリモコンを大まかに２種類に分ける。第一類は単一機能タイプのリモコンに属し、合わせて使用する家電に対してのみリモートコントロール操作ができ、この種のリモコンの全ての遠隔制御機能は個々のボタンによって実現し、ユーザー自身が押ボタンを選択することで、家電に対するリモートコントロール操作を行ってきた。第二類は多機能タイプのリモコンに属し、同時に二つ以上の家電を遠隔制御でき、この種のリモコンは、遠隔制御したい全ての家電の遠隔制御のコマンドコードを事前にその内部電子回路に設計していた。そして前記２種類の従来のリモコンが提供しているマンマシンインターフェースはある種のボタンだけであり、つまり従来のリモコン設計理念により、家電のパネル上の操作押ボタンを取替ただけであり、これにより、例えばこの時間のXチャンネルにおいて放送される番組名称のように従来のリモコンは、先天性においてやはりユーザーに十分な情報を提供することができなかった。
【０００３】
本発明の発明人は従来のリモコンの欠点に基づき、改良に努めてユニバーサルリモコンによって電子装置を遠隔制御する方法、及び、該遠隔制御方法を実現したユニバーサルリモコンを発明することで、テレビ番組放送のスケジュール表の随時情報をアップデートし、また、分類整理して、ユーザーに十分な情報を与えることで遠隔制御事項に対するリモートコントロール操作を実行した。
【発明の開示】
【発明が解決しようとする課題】
【０００４】
本発明の主要な目的は、電子装置を遠隔操作する方法で、本発明のユニバーサルリモコンを使用することで、例えば最新のテレビ番組放のスケジュール表を遠隔制御事項でアップデート（Update）でき、十分な情報条件の下、ユーザーに電子装置に対するリモートコントロール操作を実行させることにある。
【０００５】
本発明の別の目的は、ユニバーサルリモコンを提供することにあり、例えば最新のテレビ番組放送のスケジュール表を遠隔制御事項で随時ダウンロードして取得することができ、また取得したリ遠隔制御事項を再分類整理することで、ユーザーが電子装置に対して利便性のあるリモートコントロール操作を実行させることにある。
【０００６】
本発明の上記の目的を達成させるため、本発明はユニバーサルリモコンによって電子装置を遠隔制御する方法で、以下のステップを包含する。ユニバーサルリモコンに提供され、ユニバーサルリモコンと第一電子装置に通信リンクを確立させることができ、及び、ユニバーサルリモコンが通信リンクを経て第一電子装置から放送リストを取得させる。この中の放送リストには少なくとも１個以上の放送項目を包含し、ユニバーサルリモコンが各放送項目の属性に基づいて放送リストに対し分類を実行させる。分類後の放送リストに基づいて、ユニバーサルリモコンに入力装置を経た操作コマンドを受信させ、及び、ユニバーサルリモコンが操作コマンドに基づいて、第二電子装置に対して操作コマンドの対応無線信号コマンドを伝送させることである。
【０００７】
さらに、本発明は上記遠隔操作方法の精神に基づいて、ユニバーサルリモコンを提供することにある。
【０００８】
該項目を熟知する技術者に本発明の目的、特徴、及び、効果を理解してもらうため、下記の具体的な実施例を介すると共に付属の図式を組み合わせ、本発明に対する詳細な説明を以下のとおり行うものである。
【発明を実施するための最良の形態】
【０００９】
図１は本発明の方法を示したチャート図、及び、図２が本発明を実施するユニバーサルリモコンの構造を示した表示図である。本発明であるユニバーサルリモコンによって電子装置を遠隔制御する方法１０には下記のステップを包含し、ここに文章として分けて記述する。ステップ(１０１)でユニバーサルリモコン２０を提供し、ユニバーサルリモコン２０構造の詳細な説明について、下記の文章にて開示する。ステップ(１０３)はユニバーサルリモコン２０と第一電子装置３０に通信リンクを確立させ、及び、ユニバーサルリモコン２０が通信リンク５０を経て第一電子装置３０から放送リスト６０を取得させ、この中の放送リスト６０には少なくとも1個以上の放送項目６０１を包含する。ステップ(１０３)内において、通信リンク５０の具体的な実施手段として有線式の通信リンク、無線式の通信リンク、インターネット、LAN等を用いることができ、異なる通信リンク５０の具体的な実施手段に基づき、対応する電子回路をユニバーサルリモコン２０で実現(Implement)し、例えば通信リンク５０としてUSB通信方式を採用することができ、１本USBケーブルを利用することでユニバーサルリモコン２０と第一電子装置３０を接続する。第一電子装置30は放送リスト６０をユニバーサルリモコン２０に提供し、通信リンク50を経てダウンロード取得させる。
【００１０】
ステップ(１０５)はユニバーサルリモコン２０が各放送項目６０１の属性に基づいて放送リスト６０に対し分類を実行させる。ステップ(１０３)から取得した放送リスト６０とはあらゆる種類の様態で、放送リスト６０について例えば各社有線ケーブルテレビのシステムチャンネルが提供するテレビ番組放送スケジュール表、或いは、例えばカラオケ機器に使用するカラオケ曲リスト、或いは、例えばコンピュータ内に保存している全てのCD/MP３曲のMP３曲リスト、或いは、各CD/MP３曲のファイル名称、或いは、例えばコンピュータ内に保存している全てのDVD映画のDVD映画リスト、或いは、各DVD映画のファイル名称、或いは、例えばコンピュータ内に保存している全てのVCD映画のVCD映画リスト、或いは、各VCD映画のファイル名称である。これら放送リスト６０は更にユニバーサルリモコン２０を経て分類処理され、例えばXX会社の有線ケーブルテレビのシステムチャンネルが提供するテレビ番組放送スケジュール表のように放送リスト６０の各放送番組６０１の属性に基づき、同じ属性或いは近似属性の放送項目６０１を同一種類に帰属させる。各テレビ番組は、洋画類の属性、国内映画類の属性、財政経済類の属性、ニュース類の属性などの番組属性に基づいて同一類別内に集中させて帰属させる。
【００１１】
更に、ステップ(１０５)の分類ステップは有線ケーブルテレビのシステムチャンネルの会社名称に基づく属性に分類でき、各社の有線ケーブルテレビのシステムチャンネルが提供するテレビ番組放送スケジュール表は全て異なるものであるため、本発明であるユニバーサルリモコン２０がディスプレイ２０９上においてエリア内の各社有線ケーブルテレビのシステムチャンネルの会社名称を表示でき、更にユーザー自身でどの有線ケーブルテレビのシステムチャンネルを選択することとなる。ユーザーが提供する有線ケーブルテレビのシステムチャンネルを選択して情報を介しすることで、ユニバーサルリモコン２０で選択した有線ケーブルテレビのシステムチャンネルのテレビ番組放送スケジュール表の各チャンネルにおける各時間帯で放送される番組に対して正確的に洋画類の属性、国内映画類の属性、財政経済類の属性、ニュース類の属性などというように細かい分類を行い、且つ同一類別内に集中させて帰属させることができる。
【００１２】
ステップ(１０７)は分類された後の放送リスト７０に基づいて、ユニバーサルリモコン２０に入力装置を経て操作コマンドを受信させ、及び、ユニバーサルリモコンが該操作コマンドに基づいて、第二電子装置４０に対し操作コマンドの対応無線信号コマンド２０５aを伝送させる。ステップ(１０７)内において、入力装置の具体的な実施手段は複数個の押ボタン２０７をユニバーサルリモコン２０上に設置することができ、さらにはタッチ式ディスプレイを入力装置とする具体的な実施手段にできる。該押ボタン２０７に対する押圧を通じることで操作コマンドが発生し、これら操作コマンドは放送リスト７０に対し操作を行うことに用い、例えば放送リスト７０内の某チャンネルのテレビ番組への切り換え、また、例えばリアルタイム録画或いは録画の予約時間で放送リスト７０内の某チャンネルのテレビ番組に対する録画作業の実行、また、例えば放送リスト７０内の某DVD映画、某VCD映画、CDディスクの某曲或いはCDディスクの全曲、MP3 CDディスクのMP３某曲或いはMP３ CDディスクの全曲などに対して放送作業を実行できる。そして、ユニバーサルリモコン２０が第二電子装置４０に対してこれら操作コマンドの対応無線信号コマンド２０５aを伝送し、これにより、第二電子装置４０が無線信号コマンド２０５aを受信した後、自動的に上記の録画作業、放送作業などを実行する。
【００１３】
本発明の上記の第一電子装置３０の具体的様態は、コンピュータ、遠隔サーバ、リモートサイトなどとすることができる。第二電子装置４０の具体的様態は、DVD/VCD/CD/MP３プレーヤー、テレビ、AV機器、コンピュータ、カラオケ機器、セットトップボックスなどとすることができる。当然、本発明の第一電子装置３０は第二電子装置４０と各自独立した電子装置とすることができ、また或いは、本発明の第一電子装置３０を第二電子装置40と同じ電子装置とすることができる。
【００１４】
図２において、本発明であるユニバーサルリモコン２０の各構成部材について、いま下記に分けて説明する。第一通信インターフェース装置２０３は第一電子装置３０に通信接続することに用い、第一通信インターフェース装置２０３を介することで第一電子装置３０と上記の通信リンク５０を確立する。第二通信インターフェース装置２０５は第二電子装置４０に通信接続することに用い、第二通信インターフェース装置２０５を介することで第二電子装置４０に対して上述の無線信号コマンド２０５aを伝送し、また第二通信インターフェース装置２０５の具体的な手段では赤外線の無線発信回路を用いることができる。複数個の押ボタン２０７は押ボタン信号２０７aを発生することに用い、該押ボタン２０７の押圧を通じることで放送リスト７０の操作コマンドを具体的に実現する。ディスプレイ２０９はユニバーサルリモコン２０の操作画面の表示を用い、操作画面を介することで、ユーザーが明確に現在の操作状態を把握、或いは、操作画面の指示説明を介することで、ユーザーが指示に従って各項操作コマンドを入力させることができる。不揮発性メモリ２１１はプロセッサ２０１と電気的に接続、及び、分類後の放送リスト７０を保存し、また不揮発性メモリ２１１の実行デバイスとしてフラッシュメモリを用いることができる。
【００１５】
図２内において、プロセッサ２０１は第一通信インターフェース装置２０３、第二通信インターフェース装置２０５、複数個の押ボタン２０７、ディスプレイ２０９は不揮発性メモリ２１１と電気的に接続し、またプロセッサ２０１は下記に記述する各項メカニズムを実行する。プロセッサ２０１は第一通信インターフェース装置２０３を経て第一電子装置３０に対して放送リスト６０を取得することに用い、この中の放送リスト６０には少なくとも1個以上の放送項目６０1を包含する。プロセッサ２０１は各放送項目６０１の属性に基づいて放送リスト６０に対して分類を実行し、また、分類後の放送リスト７０を不揮発性メモリ２１１に保存する。プロセッサ２０１は押ボタン信号２０７aを受信することに用い、この中の該押ボタン信号２０７aを該分類後の放送リスト７０の操作コマンドとする。プロセッサ２０１は受信した該押ボタン信号２０７aに基づいて、第二通信インターフェース装置２０５を経て第二電子装置４０に対し押ボタン信号２０７aの対応無線信号コマンド２０５aを伝送することに用いる。
【００１６】
図３は本発明である第一電子装置から取得した放送リストの構造を示した表示図で、図４が第一電子装置から取得した放送リストのテレビ番組放送スケジュール表の資料構造を示した表示図であり、及び、図５は第一電子装置から取得した放送リストのMP3曲リストの資料構造を示した表示図である。図３内において、放送リスト６０が複数個の放送項目６０１から組成されることで、各放送項目６０１の内容は放送リスト６０の異なる種類に伴って異なるものとなる。図４において、テレビ番組放送スケジュール表６０の各放送項目６０１はチャンネル案内６０１a、及び、複数個の番組資料６０１bで組成され、この中のチャンネル案内６０１aにはチャンネル番号、チャンネル名称、及び、チャンネル内容の描写を包含し、また各番組資料６０１bはチャンネル番号の全てのテレビ番組の番組名称、放送開始時間、及び、放送終了時間を記録する。図５内において、MP３曲リスト６０の各放送項目６０１はMP３の各曲の曲名、及び、アクセスパスについて、この中のアクセスパスは主に第二電子装置４０に提供され、このように第二電子装置４０は該MP３曲をどこから取得するかを知らせることができる。
【００１７】
図６は本発明に基づいたユニバーサルリモコンを示した外観図である。図６内において、複数個の押ボタン２０７をユニバーサルリモコン２０上に設置し、さらに、洋画類の属性、国内映画類の属性、財政経済類の属性、ニュース類の属性といった各番組を所属分類して帰属させ、ユーザーが‘洋画’と印刷表示された押ボタン２０７、‘国内映画’と表示された押ボタン２０７、‘財政経済’と印刷表示された押ボタン２０７、‘ニュース’と印刷表示された押ボタン２０７を介することで、スピーディーにこれらの属性に属する中の1つの番組を選択することができる。
【００１８】
本発明の不揮発性メモリ２１１に保存する放送リスト７０の数量は1つとは限らず、これによりユニバーサルリモコン２０は同時に少なくとも1個以上の第二電子装置４０を遠隔制御することに用いることができる。さらに、不揮発性メモリ２１１は少なくとも1個以上のコマンド対照表８０を保存し、異なるコマンド対照表８０を異なるブランド或いはことなる型番の第二電子装置４０に分けて適用できることについて、図７のコマンド対照表の資料構造表示図を参照していただき、複数個の押ボタン２０７が順番とおりフィールド８０１a、フィールド８０３a...に対照し、且つ、対応するコマンドコードをそれぞれフィールド８０１b、フィールド８０３b...として定義し、これに基づき、プロセッサ２０１が押ボタン２０７で発生した押ボタン信号２０７aを受信した時、その後コマンド対照表８０内の対応のコマンドコードに基づき、更に該コマンドコードが第二通信インターフェース装置２０５を介して、遠隔制御したい第二電子装置４０に対して対応無線信号コマンド２０５aを伝送する。
【００１９】
本発明における1つの具体的な実施例を上記に記載したが、本発明の実施範囲が制限されるものではなく、この技術を熟知している任意のものが、本発明の精神と範囲内に基づいた各種の改変と修飾を行うことについて、その改変と修飾もまた本発明の請求範囲に属するものとし、本発明の保護範囲は特許請求範囲で定めたものを基準とする。
【図面の簡単な説明】
【００２０】
【図１】本発明の方法を示したチャート図である。
【図２】本発明を実施するユニバーサルリモコンの構造を示した表示図である。
【図３】本発明である第一電子装置から取得した放送リストの構造を示した表示図である。
【図４】第一電子装置から取得した放送リストのテレビ番組放送スケジュール表の資料構造を示した表示図である。
【図５】第一電子装置から取得した放送リストのMP3曲リストの資料構造を示した表示図である。
【図６】本発明に基づいたユニバーサルリモコンを示した外観図である。
【図７】第二電子装置のコマンド対照表における資料構造を示した表示図である。
【符号の説明】
【００２１】
１０    遠隔制御方法
２０    ユニバーサルリモコン
３０    第一電子装置
４０    第二電子装置
５０    通信リンク
６０    放送リスト
７０    放送リスト
８０    コマンド対照表
１０１、１０３、１０５、１０７    ステップ
２０１   プロセッサ
２０３   第一通信インターフェース装置
２０５   第二通信インターフェース装置
２０５a  無線信号コマンド
２０７   押ボタン
２０７a  押ボタン信号
２０９   ディスプレイ
２１１   不揮発性メモリ
６０１   放送項目
６０１a  チャンネル案内
６０１b  番組資料 
８０１a、８０２b    フィールド
８０３a、８０３b    フィールド
【図１】
2006025419.tif 000003
【図２】
2006025419.tif 000004
【図３】
2006025419.tif 000005
【図４】
2006025419.tif 000006
【図５】
2006025419.tif 000007
【図６】
2006025419.tif 000008
【図７】
2006025419.tif 000009